(57)【要約】【課題】  被処理水の浄化処理を行うのに用いる制御対象機器が装着された排水処理装置において、制御対象機器の制御を行う排水処理用制御装置の合理的な構築技術を提供する。【解決手段】  排水処理装置の制御対象機器を制御する制御盤の操作パネル２２０は、表示部２２３、押圧操作用の第２設定ボタン２２７及び第３設定ボタン２２９を有する。「自動運転モード」において、第２設定ボタン２２７ないし第３設定ボタン２２９が押圧操作されていない状態では、表示部２２３にその時の時刻を表示し、第２設定ボタン２２７ないし第３設定ボタン２２９の押圧操作が所定時間以上継続された場合には、表示部２２３に計量ポンプの１日あたりの累積運転時間を表示するように構成する。【選択図】      図３
2005152767.tif 000002
【特許請求の範囲】
【請求項１】
被処理水の浄化処理を行うのに用いる制御対象機器が装着された排水処理装置において、前記制御対象機器の制御を行う排水処理用制御装置であって、
手動操作用の操作部と、前記制御対象機器の運転に関与する運転情報を表示可能な単一の表示部とを備え、前記操作部は、当該操作部に対する手動操作が解除されると手動操作前の位置へと復帰する構成であり、
前記操作部に所定の手動操作がなされた手動操作時と、当該所定の手動操作が解除された手動操作解除時とで、前記表示部に異なる運転情報を表示するように構成されていることを特徴とする排水処理用制御装置。
【請求項２】
請求項１に記載の排水処理用制御装置であって、
前記操作部の手動操作時において、前記表示部に前記制御対象機器の運転情報としての累積運転時間を表示し、前記操作部の手動操作解除時において、前記表示部に前記制御対象機器の運転情報としての時刻を表示するように構成されていることを特徴とする排水処理用制御装置。
【請求項３】
請求項１または２に記載の排水処理用制御装置であって、
被処理水の一部を分岐させることによって流量調整を行う流量調整装置へ被処理水を移送する移送ポンプを前記制御対象機器として制御する構成であることを特徴とする排水処理用制御装置。
【発明の詳細な説明】
【技術分野】
【０００１】
本発明は、被処理水の処理を行う排水処理装置に係り、詳しくは被処理水の浄化処理を行うのに用いる制御対象機器が装着された排水処理装置において、制御対象機器の制御を行う排水処理用制御装置の構築技術に関するものである。
【背景技術】
【０００２】
従来、一般家庭等から排出される排水や、産業廃水等の処理を行う排水処理装置においては、各種の制御対象機器の制御、運転モードの設定などを行うための制御盤（制御装置）を備えた構成が一般的である。例えば、特許文献１には、汚泥の移送量を制御可能な制御盤が装着された浄化槽の構成が開示されている。この浄化槽においては、作業者が制御盤に設けられた操作スイッチを操作することによって汚泥の移送量の増減に関する設定を行うことが可能となっている。
ところで、上記のような浄化槽においては、制御対象機器の制御を行う制御盤の構成につき作業者による操作性を向上させるべく一層の合理化を図る要請がある。
【特許文献１】特開２００１−１７９２７６号公報
【発明の開示】
【発明が解決しようとする課題】
【０００３】
本発明は、かかる点に鑑みてなされたものであり、被処理水の浄化処理を行うのに用いる制御対象機器が装着された排水処理装置において、制御対象機器の制御を行う排水処理用制御装置の合理的な構築技術を提供することを課題とする。
【課題を解決するための手段】
【０００４】
前記課題を解決するために、本発明が構成される。本発明は、手動操作用の操作部に所定の手動操作がなされた手動操作時と、当該所定の手動操作が解除された手動操作解除時とで、制御対象機器の運転に関与する異なる運転情報を単一の表示部に表示させるように排水処理用制御装置を構成することによって操作性を向上させるようにした技術である。
【０００５】
（本発明の第１発明）
本発明の第１発明は、請求項１に記載されたとおりの排水処理用制御装置である。
請求項１に記載の排水処理用制御装置は、被処理水の種々の浄化処理を行うのに用いる制御対象機器が装着された排水処理装置において、制御対象機器の制御を行う機能を有する装置である。
ここでいう「排水処理装置」は、一般家庭等から排出される生活排水（汚水）や、産業廃水などの被処理水を浄化処理する装置である。また、「制御対象機器」としては、被処理水を移送する移送ポンプ類、具体的には被処理水を計量装置へ供給する計量ポンプや、排水処理装置へ原水を受け入れる原水ポンプや、浄化処理後の水を排水処理装置から放流する放流ポンプ、またばっ気処理や好気性処理においてエアを供給するのに用いるブロワ等がある。
【０００６】
本発明の排水処理用制御装置は、少なくとも操作部及び表示部を備えている。
本発明の操作部は、作業者が手動操作することが可能な構成を有する。この操作部は、当該操作部に対する手動操作が解除されるとそのまま手動操作前の位置へと復帰する構成になっている。この操作部の構成の具体例としては、所定の手動操作が解除されると手動操作位置から手動操作解除位置へと復帰するように構成された押圧式の操作ボタン類や、スライド式、回転式などの操作スイッチ類を用いた構成がある。
本発明の表示部は、制御対象機器の運転に関与する運転情報を表示可能な機能を有する単一の表示部である。この表示部は、操作部に所定の手動操作がなされた手動操作時と、当該所定の手動操作が解除された手動操作解除時とで異なる運転情報を表示するように構成されている。従って、作業者が操作部に対し所定の操作を行った場合には表示部に第１の運転情報が表示され、当該所定の操作が解除された場合には表示部に第１の運転情報とは異なる第２の運転情報が表示されることとなる。
【０００７】
なお、本発明でいう「単一の表示部」とは、単一の表示情報のみを表示可能な単一の表示領域を有する構成の表示部であって、単一の表示情報を表示可能な表示領域を複数備えた構成の表示部とは異なる。従って、本発明の「単一の表示部」においては、同一の表示領域に第１の運転情報と第２の運転情報とが切り替え表示されることとなる。なお、単一の表示情報を複数の領域に分割して表示させる構成、例えば単一の時間情報を「時データ」と「分データ」との２つに分割して表示させる構成の表示部は、複数の表示領域を有する場合であっても本発明における「単一の表示部」の範疇に含まれる。
【０００８】
また、表示部に表示される「制御対象機器の運転に関与する運転情報」とは、一または複数の制御対象機器の運転に関わる各種の情報を広く含む主旨であり、具体的には制御対象機器の所定期間における運転時間や当該運転時間の累積を示す情報（例えば、制御対象機器の運転開始時からの積算運転時間）、制御対象機器の運転（起動および停止）回数を示す情報、制御対象機器の運転時間の累積を示す情報、制御対象機器の運転モードの設定を示す情報、更には制御対象機器の運転を管理するうえで必要となる時刻情報等が本発明における「制御対象機器の運転に関与する運転情報」に相当する。なお、本発明では、表示部に表示されるこの運転情報は、定量的な数値を示す数値情報であってもよいし、あるいは定性的な情報であってもよい。
【０００９】
本発明に記載の排水処理用制御装置のこのような構成において、作業者が運転管理上常時見たい運転情報、例えば時刻情報を操作部の手動操作解除時において表示部に表示させ、作業者が必要に応じて一時的に見たい運転情報、例えばメンテナンス時や運転状態チェック時にのみ見たい運転情報を操作部の手動操作時において表示部に表示させるように設定することができる。これにより、運転情報の表示に関し合理的な構成を実現することができる。そのとき、本発明のように、手動操作が解除されるとそのまま手動操作前の位置へと復帰する構成の操作部を用いることにより、操作部に対する操作の戻し忘れを防止することが可能となり操作性が向上する。
また、本発明では、単一の表示部を用いているため、排水処理用制御装置の省スペース化を図ることができ、また排水処理用制御装置のコストダウンを図ることが可能となる。なお、本発明では単一の表示部を構成要件としているが、この単一の表示部とは別に当該表示部に表示する運転情報に関与しない情報を表示する表示部を設ける場合であっても、本発明の排水処理用制御装置の構成を妨げない。
また、本発明では、作業者による操作部の選択的な操作に基づいて表示部に表示する運転情報が可変とされており、作業者が所望の運転情報を得るべく操作部に対し所定の手動操作を行うと一義的に表示部に所望の運転情報が表示されることとなるため、作業者は表示部に表示された運転情報を見易く、また表示された運転情報を管理し易い使い勝手の良い排水処理用制御装置を構築することができる。なお、本発明では、所定の手動操作がなされた状態が所定時間以上維持されたことを条件として表示部に所望の運転情報を表示するように構成するのが好ましい。このような構成によれば、操作部の誤操作を防止し、作業者が所望する運転情報のみを表示部に確実に表示させることが可能となる。
【００１０】
（本発明の第２発明）
本発明の第２発明は、請求項２に記載されたとおりの排水処理用制御装置である。
請求項２に記載の排水処理用制御装置は、請求項１に記載の構成であって、操作部の手動操作時において表示部に制御対象機器の運転情報としての累積運転時間、すなわち所定期間における運転時間の累積値を表示し、操作部の手動操作解除時において表示部に制御対象機器の運転情報としての時刻を表示するように構成されている。
制御対象機器の累積運転時間は、排水処理装置のメンテナンス時や運転状態のチェック時などにおいて作業者が一時的に把握する要請の高い情報であり、時刻は作業者が恒常的に把握する要請の高い情報である。
従って、本発明によれば、請求項１に記載の構成によって得られる作用効果に加え、排水処理装置を管理する作業者にとって有効な運転情報を得ることが可能な排水処理用制御装置を構築することができる。
【００１１】
（本発明の第３発明）
本発明の第３発明は、請求項３に記載されたとおりの排水処理用制御装置である。
請求項３に記載の排水処理用制御装置は、請求項１または２に記載の構成であって、被処理水の一部を分岐させることによって流量調整を行う流量調整装置へ被処理水を移送する移送ポンプを制御対象機器として制御する構成を有する。
流量調整装置は、浄化処理経路における被処理水の流量を制御する機能を有するため、この流量調整装置へ被処理水を移送する移送ポンプは、排水処理装置を管理する作業者が運転情報を把握する要請の高い制御対象機器の一つである。このような移送ポンプの運転情報として累積運転時間を知ることは、被処理水の流量調整が良好に行われているか否かを作業者が判断するうえで重要な指標の一つである。例えば、移送ポンプの１日あたりの累積運転時間が２４時間に近づくほど被処理水の流量調整が良好に行われていると判断される。
従って、本発明によれば、請求項１，２に記載の構成によって得られる作用効果に加え、排水処理装置を管理する作業者にとって管理要請の高い移送ポンプに関する運転情報を得ることが可能な排水処理用制御装置を構築することができる。
【発明の効果】
【００１２】
以上のように、本発明によれば、操作部に所定の手動操作がなされた手動操作時と、当該所定の手動操作が解除された手動操作解除時とで、単一の表示部に異なる運転情報を表示するようにすることによって、操作性の向上、省スペース化、コストダウンを図るとともに、作業者にとって使い勝手の良い排水処理用制御装置を構築することが可能となる。従って、制御対象機器の制御を行う排水処理用制御装置の合理的な構築技術が実現されることとなる。
【発明を実施するための最良の形態】
【００１３】
以下に、本発明における「排水処理装置」の一実施の形態である排水処理槽１００の構成等を図面に基づいて説明する。
【００１４】
図１には、本発明における一実施の形態の排水処理槽１００の処理フローが示されており、図２には、当該排水処理槽１００の処理槽本体１０１の内部構成が示されている。
図１および図２に示すように、本実施の形態の排水処理槽１００は、処理槽本体１０１に、ばっ気型スクリーン１１０、流量調整槽１２０、計量調整装置１３０、夾雑物除去槽１４０、担体流動槽１５０、担体濾過槽１６０、消毒槽１７０、放流ポンプ槽１８０、汚泥濃縮貯留槽１９０、制御盤２００等が搭載されている。
【００１５】
制御盤２００は、被処理水の浄化処理を行うのに用いるポンプ類、ブロワ類、バルブ類、スイッチ類等、各種の制御対象機器と電気的に接続されており、これら制御対象との間で検出信号や制御信号の伝達が可能となっている。この制御盤２００が本発明における「排水処理用制御装置」及び後述する態様１〜態様３における「制御装置」を構成する。本実施の形態では、この制御盤２００は、いわゆるマイコン制御を用いたマイコン制御盤として構成される。マイコン制御盤は、リレー制御盤に比して安価であり、シーケンサ制御盤に比して操作性が良いというメリットを有する。この制御盤２００は、検出センサによって検出された検出情報を制御部２１０に送り当該制御部２１０において演算処理したのち、各制御対象機器へ制御信号を出力する。また、制御盤２００は、後述する作業者操作用の操作パネル２２０を備えている。
【００１６】
図１に示すように、排水処理槽１００へ流入した汚水（被処理水）は、上記の構成要素によって処理され、処理後の水は放流ポンプ槽１８０の下流から排水処理槽１００外へ放流される一方、夾雑物除去槽１４０や担体濾過槽１６０の処理過程で分離・除去された汚泥は、一旦汚泥濃縮貯留槽１９０に貯留されたのちに排水処理槽１００外へ搬出される構成になっている。なお、本実施の形態では、各槽において処理される汚水（被処理排水）および当該汚水を処理する処理過程において流れる水を「被処理水」ないし「水」と記載する。
【００１７】
図２に示すように、ばっ気型スクリーン１１０は、所定の大きさのスクリーン目を有し、流入口１０２を通じて処理槽本体１０１へ流入した被処理水中に含まれる粗大な固形物や砂などを除去する機能を有する。また、特に図示しないものの、ばっ気型スクリーン１１０にスクリーン目の目詰まり防止のためのエアが供給される構成になっている。このばっ気型スクリーン１１０を通過した水は、流量調整槽１２０へと移流する。
【００１８】
流量調整槽１２０は、被処理水を一時的に貯留するリザーバタンクとしての機能を有する槽であり、この流量調整槽１２０には、第１計量ポンプ１２１及び第２計量ポンプ１２２、第１のフロートスイッチ１２３、第２のフロートスイッチ１２４、第３のフロートスイッチ１２５、撹拌装置１２６が設置されている。
【００１９】
第１計量ポンプ１２１及び第２計量ポンプ１２２は、流量調整槽１２０に貯留された被処理水を計量調整装置１３０へと移送する機能を有する流量調整用のポンプである。これら第１計量ポンプ１２１及び第２計量ポンプ１２２は、流量調整槽１２０内の被処理水中に水没して設置されるよう設定された、いわゆる「水中ポンプ」として構成される。なお、これら第１計量ポンプ１２１及び第２計量ポンプ１２２を、水中ポンプではなくエアリフトポンプによって構成することもできる。第１計量ポンプ１２１及び第２計量ポンプ１２２は、制御盤２００と電気的に接続されており、制御盤２００との間で検出信号及び制御信号の伝達が可能となっている。
第１のフロートスイッチ１２３は、流量調整槽１２０の水位が下側基準水位ＬＷＬになったことを検出可能に構成されている。第２のフロートスイッチ１２４は、流量調整槽１２０の水位が上側基準水位ＨＷＬになったことを検出可能に構成されている。第３のフロートスイッチ１２５は、流量調整槽１２０の水位が下側基準水位ＬＷＬと上側基準水位ＨＷＬとの間の中間基準水位ＭＷＬになったことを検出可能に構成されている。これらフロートスイッチ１２３，１２４，１２５は、各々制御盤２００と電気的に接続されており、制御盤２００との間で検出信号及び制御信号の伝達が可能となっている。
撹拌装置１２６は、流量調整槽１２０内の水を撹拌する機能を有する装置である。この撹拌装置１２６として、典型的には供給エアのエア流によって水を撹拌する手段を用いることができる。
【００２０】
計量調整装置１３０は、被処理水の一部を分岐させて流量調整槽１２０へ戻すことが可能となっており、これにより夾雑物除去槽１４０へ移送される被処理水の流量がコンスタントになるように適宜流量調整（計量）を行う機能を有する。すなわち、第１計量ポンプ１２１及び第２計量ポンプ１２２と計量調整装置１３０とは、夾雑物除去槽１４０以降の各処理槽に供給される被処理水の流量を調整することにより被処理水の供給過剰状態を未然に防止する機能を果たすものである。この計量調整装置１３０が、本発明における「流量調整装置」に対応しており、この計量調整装置１３０へ被処理水を移送可能な第１計量ポンプ１２１及び第２計量ポンプ１２２が、本発明における「制御対象機器」ないし「移送ポンプ」に対応している。
【００２１】
夾雑物除去槽１４０は、被処理水が含有する固形成分を、夾雑物として被処理水から分離させるための処理を行う槽であり、被処理水の固液分離機能を果たす。この夾雑物除去槽１４０には、移流管１４２および汚泥引き抜き手段１４４が設置されている。
移流管１４２は、上下方向に延在する第１延在部１４２ａと、当該第１延在部１４２ａから水平方向の延在する第２延在部１４２ｂを備えている。第１延在部１４２ａは、その下端（入口部分）が夾雑物除去槽１４０内の水面よりも低所に配置されており、水平付近に滞留するスカムなどが担体流動槽１５０へと流出するのを防止する構成になっている。第２延在部１４２ｂは、その下流側にスリット状の担体分離装置（図示省略）が設置されており、後述する担体流動槽１５０の粒状担体Ｃ１が夾雑物除去槽１４０側へと流入するのを防止する構成になっている。夾雑物除去槽１４０内の水は、この移流管１４２を通じて担体流動槽１５０へと移流する。
汚泥引き抜き手段１４４は、固液分離によって得られた夾雑物（固形成分）を含む汚泥を引き抜いて汚泥濃縮貯留槽１９０へと移送する機能を有する手段である。この汚泥引き抜き手段１４４としては、移送管内へエアが供給されることでそのエア流によって被処理水を吸入し吐出する既知の構成のエアリフトポンプを用いることができる。
【００２２】
担体流動槽１５０は、その内部に多数の粒状担体Ｃ１が流動可能に充填された好気性処理領域を有する。粒状担体Ｃ１は、例えば中空円筒状に形成され、この粒状担体Ｃ１には被処理水中の有機汚濁物を好気性処理するための好気性微生物が付着する。この担体流動槽１５０は、担体充填部１６２によって濾過処理される前の被処理水が滞留可能な領域である。
また、この担体流動槽１５０には、移流管１５２および散気装置１５４が設置されている。
移流管１５２は、その入口部分が担体流動槽１５０の水面付近に配置されるとともに、後述する担体濾過槽１６０の担体充填部１６２よりも下部へと延在するように構成されている。また、この移流管１５２の入口部分には、担体流動槽１５０の粒状担体Ｃ１が担体濾過槽１６０側へと流入するのを防止するスリット状の担体分離装置（図示省略）が設置されている。担体流動槽１５０内の水は、この移流管１５２を通じて担体濾過槽１６０へと移流する。
散気装置１５４は、ブロワ（図示省略）から送られたエアを担体流動槽１５０内へ供給する装置であり、担体流動槽１５０内の粒状担体Ｃ１を流動化させるとともに、当該粒状担体Ｃ１に付着した好気性微生物に酸素を付与する機能を有する。これにより、好気性微生物によって被処理水中の有機物の好気性処理（酸化分解）が進行し、被処理水中のＢＯＤ成分の除去が効率的に行われるようになっている。このとき、有機物の好気性処理（酸化分解）によって、汚泥（泥状物質）等の固形物（ＳＳ）が生成する。
【００２３】
担体濾過槽１６０は、担体Ｃ２が流動可能に充填される担体充填部１６２を有し、当該担体充填部１６２の下方に逆洗装置１６４を備えている。また、この担体濾過槽１６０には、返還手段１６８、汚泥引き抜き手段１６９等が設置されている。
【００２４】
担体充填部１６２に充填された担体Ｃ２は、上記担体流動槽１５０における好気性処理で生じたＳＳ（浮遊物質）等の固形生成物、および被処理水が含有していた固形成分を含む汚泥を捕捉する機能を有する。すなわち、被処理水が図２中の矢印で示すような上向流によって担体充填部１６２を上方へと流れる際に、被処理水に含まれる汚泥は担体Ｃ２によって濾過・分離される。本実施の形態では、担体Ｃ２として、浮上性の粒状担体、すなわち見掛けの比重が水よりも小さい担体が用いられている。
【００２５】
逆洗装置１６４は、定期的に行われる逆洗処理（逆洗運転）時に、ブロワ（図示省略）から送られたエアを担体濾過槽１６０内へ供給する装置であり、担体充填部１６２に逆洗用流体としてのエアを供給可能な構成を有する。逆洗装置１６４が作動することによって、担体Ｃ２に捕捉（濾過）された汚泥等の被濾過物を当該担体Ｃ２から剥離させる機能（逆洗機能）が発揮される。逆洗装置１６４の逆洗機能により担体Ｃ２から剥離した汚泥等の被濾過物は、沈降分離されて担体濾過槽１６０の槽底部に設けられた傾斜状のホッパー部１６６に集められるようになっている。
【００２６】
返還手段１６８は、担体Ｃ２によって汚泥等の被濾過物が濾過されたあとの水を定期的に流量調整槽１２０へ返還する機能を有する手段である。また、汚泥引き抜き手段１６９は、固液分離によって担体濾過槽１６０の槽底部、すなわち担体充填部１６２の下方に堆積した汚泥等の堆積物を引き抜いて汚泥濃縮貯留槽１９０へと移送する機能を有する手段である。これら返還手段１６８および汚泥引き抜き手段１６９としては、前記の汚泥引き抜き手段１４４と同様に、移送管内へエアが供給されることでそのエア流によって被処理水を吸入し吐出する既知の構成のエアリフトポンプを用いることができる。
担体濾過槽１６０内の水は、移流開口を通じて消毒槽１７０へと移流する。
【００２７】
消毒槽１７０は、消毒剤１７２を備えており、担体濾過槽１６０から流入した水に適宜消毒処理を施したのちに消毒処理後の水を放流ポンプ槽１８０へと移流させるように構成されている。
【００２８】
放流ポンプ槽１８０は、浄化処理が施された水を一旦貯留するとともに槽内に貯留された水の放流を行う機能を有する。この放流ポンプ槽１８０には、浄化処理が施された水を放流口１０３を通じて放流ポンプ槽１８０外へ排出する放流用の放流ポンプ１８２が設置されている。この放流ポンプ１８２は、放流ポンプ槽１８０内に水没して設置されるよう設定された、いわゆる「水中ポンプ」として構成される。なお、放流ポンプ１８２を、水中ポンプではなくエアリフトポンプによって構成することもできる。
なお、必要に応じては放流ポンプ槽１８０を省略し、消毒槽１７０で処理した水をそのまま排水処理槽１００外へ放流するように構成することもできる。
【００２９】
汚泥濃縮貯留槽１９０は、前記構成の夾雑物除去槽１４０および担体濾過槽１６０から汚泥引き抜き手段１４４，１６９によって抜き出された汚泥等の堆積物を貯留する機能を有する。この汚泥等の堆積物は、汚泥濃縮貯留槽１９０内において固液分離されたのち当該汚泥濃縮貯留槽１９０から槽外へ適宜搬出されて別途処理される。
この汚泥濃縮貯留槽１９０には、当該汚泥濃縮貯留槽１９０と流量調整槽１２０とを連通する脱離液返送管１９２が設置されている。脱離液返送管１９２は、その入口部分が槽内の水位の中間領域に延在する構成であり、汚泥濃縮貯留槽１９０の中間領域に貯留された貯留物、すなわち槽底部において沈降・堆積する沈降性汚泥（スラッジ）と、槽上部において浮遊する浮上性汚泥（スカム）との間に滞留する脱離液を、流量調整槽１２０へと返送する機能を有する。脱離液返送管１９２によって脱離液を流量調整槽１２０へ返送することによって、汚泥濃縮貯留槽１９０における汚泥の濃縮度合いを高めることができる。
また、この汚泥濃縮貯留槽１９０には、当該汚泥濃縮貯留槽１９０内の水を撹拌する機能を有する撹拌装置１９４が設置されている。汚泥搬出時に撹拌装置１９４を運転することによって、槽内の水が撹拌されて汚泥搬出時における汚泥の引き出しが容易になる。
【００３０】
ここで、前記構成の制御盤２００に設けられた作業者操作用の操作パネル２２０の詳細な構成を図３を参照しながら説明する。図３には操作パネル２２０のパネル外観が示される。
図３に示すように、操作パネル２２０には、少なくとも電源ランプ２２１、表示部２２３、計量ポンプに関する第１〜第３の設定ボタン２２５，２２７，２２９が設けられている。本実施の形態では、第１〜第３の設定ボタン２２５，２２７，２２９は、いずれも手動による押圧操作（押圧動作）が解除されるとそのまま押圧操作位置から押圧操作解除位置へと復帰するように構成された押圧式のボタンである。
なお、操作パネル２２０に計量ポンプ以外の他の制御対象機器の設定ボタンを設けることもできる。また、表示部２２３とは別にこの表示部２２３に表示する運転情報に関与しない情報を表示する表示部を操作パネル２２０に設けることもできる。
【００３１】
電源ランプ２２１は、制御盤２００に電源が供給されたときに点灯するように構成されている。表示部２２３は、単一の時間情報を「時データ」と「分データ」との２つに分割して表示させる構成の単一の表示部である。図３に示す例では、表示部２２３の左側に「時データ」が表示され、表示部２２３の右側に「分データ」が表示されるようになっている。第１設定ボタン２２５は、計量ポンプの運転モードを、「自動運転モード」と「手動運転モード」とを切り替えるための設定ボタンである。この第１設定ボタン２２５は、「自動運転モード」に設定されると設定ランプ２２５ａが点灯するようになっている。
第２設定ボタン２２７は、「自動運転モード」において第１計量ポンプ１２１の１日あたりの累積運転時間（運転時間の累積値）を表示部２２３に表示するのに用いられる一方、「手動運転モード」において第１計量ポンプ１２１の「入／切」を切り替えるのに用いられる。この第２設定ボタン２２７は、第１計量ポンプ１２１の運転中に設定ランプ２２７ａが点灯するようになっている。
同様に、第３設定ボタン２２９は、「自動運転モード」において第２計量ポンプ１２２の１日あたりの累積運転時間（運転時間の累積値）を表示部２２３に表示するのに用いられる一方、「手動運転モード」において第２計量ポンプ１２２の「入／切」を切り替えるのに用いられる。この第３設定ボタン２２９は、第２計量ポンプ１２２の運転中に設定ランプ２２９ａが点灯するようになっている。このように、作業者の所定の押圧操作（手動操作）によって作動するこれら第２設定ボタン２２７及び第３設定ボタン２２９が、本発明における「手動操作用の操作部」を構成する。
【００３２】
「自動運転モード」において、第２設定ボタン２２７ないし第３設定ボタン２２９が押圧操作（手動操作）されていない状態では、表示部２２３にその時の時刻が表示され、第２設定ボタン２２７ないし第３設定ボタン２２９の押圧操作（手動操作）が所定時間以上（例えば３秒間以上）継続された場合には、表示部２２３に第１計量ポンプ１２１の１日あたりの累積運転時間、ないし第２計量ポンプ１２２の１日あたりの累積運転時間が表示されることとなる。すなわち、表示部２２３は、時刻の表示領域と１日あたりの累積運転時間の表示領域とが兼用された領域となっている。この表示部２２３が、本発明における「単一の表示部」に対応しており、この表示部２２３に表示される時刻及び累積運転時間が、本発明における「運転情報」に対応している。また、表示部２２３における上記表示態様が、本発明における「操作部に所定の手動操作がなされた手動操作時と、当該所定の手動操作が解除された手動操作解除時とで、表示部に異なる運転情報を表示する。」との態様に相当する。
【００３３】
時刻は、作業者が運転管理を行ううえで常時見たい運転情報であり、第１計量ポンプ１２１及び第２計量ポンプ１２２の１日あたりの累積運転時間は、メンテナンス時や運転状態チェック時において一時的に見たい運転情報である。そこで、本実施の形態では、第２設定ボタン２２７ないし第３設定ボタン２２９の押圧操作が所定時間以上（例えば３秒間以上）継続された場合にのみ表示部２２３に１日あたりの累積運転時間を表示させ、その以外は表示部２２３に時刻を表示させるように設定している。
【００３４】
具体的には、第２設定ボタン２２７ないし第３設定ボタン２２９が押圧操作されていない状態において表示部２２３に例えば「１２：３０」が表示されているとする。このとき、表示部２２３を見た作業者は、その時の時刻が「１２時３０分」であることを知ることができる。また、第２設定ボタン２２７の押圧操作が所定時間以上（例えば３秒間以上）継続された状態において表示部２２３に例えば「１５：３０」と表示されているとする。このとき、表示部２２３を見た作業者は、第１計量ポンプ１２１の１日あたりの累積運転時間が「１５時間３０分」であることを知ることができる。作業者は、メンテナンス時や運転状態のチェック時に第１計量ポンプ１２１及び第２計量ポンプ１２２の１日あたりの累積運転時間をチェックし、このとき第１計量ポンプ１２１の累積運転時間と第２計量ポンプ１２２の累積運転時間の合計が２４時間に近づくほど被処理水の流量調整が良好に行われていると判断することができる。
【００３５】
本実施の形態によれば、作業者が運転管理上常時見たい「時刻」を第２設定ボタン２２７ないし第３設定ボタン２２９の押圧操作解除時において表示部２２３に表示させ、作業者がメンテナンス時や運転状態チェック時に一時的に見たい「第１計量ポンプ１２１及び第２計量ポンプ１２２の１日あたりの累積運転時間」を第２設定ボタン２２７ないし第３設定ボタン２２９の押圧操作時において表示部２２３に表示させるという合理的な構成を実現することができる。そのとき、第２設定ボタン２２７ないし第３設定ボタン２２９は、その押圧操作が解除されるとそのまま押圧操作前の位置へと復帰する構成であるため、操作の戻し忘れを防止することが可能となり操作性が向上する。
【００３６】
また、本実施の形態の制御盤２００は、時刻の表示領域と１日あたりの累積運転時間の表示領域とが兼用された単一の表示部２２３を用いているため、制御盤２００の省スペース化を図ることができ、また制御盤２００のコストダウンを図ることが可能となる。
【００３７】
また、本実施の形態の制御盤２００は、作業者による第２設定ボタン２２７ないし第３設定ボタン２２９の選択的な操作に基づいて表示部２２３に表示する運転情報が可変とされており、作業者が所望の運転情報を得るべく第２設定ボタン２２７ないし第３設定ボタン２２９に対し所定の押圧操作を行うと一義的に表示部２２３に所望の運転情報が表示されることとなるため、作業者は表示部２２３に表示された運転情報を見易く、また表示された運転情報を管理し易い使い勝手の良い制御盤２００を構築することができる。とりわけ、本実施の形態では、第２設定ボタン２２７ないし第３設定ボタン２２９の押圧操作がなされた状態が所定時間以上維持されたことを条件として表示部２２３に所望の運転情報を表示するように構成しているため、これら設定ボタン２２７，２２９の誤操作を防止し、作業者が所望する運転情報のみを表示部２２３に確実に表示させることが可能となる。
【００３８】
次に、上記「自動運転モード」における第１計量ポンプ１２１及び第２計量ポンプ１２２の動作を図４を参照しながら説明する。図４には、「自動運転モード」における第１計量ポンプ１２１及び第２計量ポンプ１２２の動作に関するタイムチャートが示される。
図４に示すように、第１計量ポンプ１２１及び第２計量ポンプ１２２の運転は、フロートスイッチ１２３による水位検出情報に基づき制御盤２００によって制御されるようになっている。具体的には、フロートスイッチ１２３によって流量調整槽１２０の水位が時間ｔ１において下側基準水位ＬＷＬ（レベル「低」）に達し、更に時間ｔ２において中間基準水位ＭＷＬ（レベル「中」）に達したときに、第１計量ポンプ１２１が起動される。更に、流量調整槽１２０の水位が時間ｔ３において上側基準水位ＨＷＬ（レベル「高」）に達したときに、第２計量ポンプ１２２が起動される。そして、時間ｔ４において流量調整槽１２０の水位が上側基準水位ＨＷＬ（レベル「高」）を下回ると、今度は先に運転が開始された第１計量ポンプ１２１の運転が停止され、更に流量調整槽１２０の水位が時間ｔ５において中間基準水位ＭＷＬ（レベル「中」）を下回ったのち、時間ｔ６において下側基準水位ＬＷＬ（レベル「低」）を下回ると第２計量ポンプ１２２の運転も停止されることとなる。
【００３９】
なお、本実施の形態では、一方の計量ポンプの運転時間が他方の計量ポンプの運転時間を大幅に上回らないように時間ｔ４において第１計量ポンプ１２１の運転を停止させるようにしたが、上側基準水位ＨＷＬ（レベル「高」）を超えた場合に必ず第２計量ポンプ１２２が運転されるように構成してもよい。
【００４０】
また、上記「自動運転モード」においては、通常運転とは異なる処理水返還運転時において第１計量ポンプ１２１ないし第２計量ポンプ１２２が運転されることとなる。この処理水返還運転時に第１計量ポンプ１２１ないし第２計量ポンプ１２２を運転することによって担体濾過槽１６０の水位を回復させる。同時に、返還手段１６８を作動させることによって、担体濾過槽１６０上部の水を流量調整槽１２０へと移送（返還）し、消毒槽１７０への移流がないようにする。このように、担体濾過槽１６０上部の水を流量調整槽１２０へと移送（返還）することによって、洗浄運転によって担体充填部１６２の担体Ｃ２の洗浄処理を行った後に槽内に浮遊しているＳＳが消毒槽１７０側へ流出するのを防止する。
【００４１】
〔他の実施の形態〕
なお、本発明は上記の実施の形態のみに限定されるものではなく、種々の応用や変形が考えられる。例えば、上記実施の形態を応用した次の各形態を実施することもできる。
【００４２】
上記実施の形態では、操作パネル２２０の表示部２２３に第１計量ポンプ１２１及び第２計量ポンプ１２２の１日あたりの累積運転時間を表示させるようにしたが、他の制御対象機器、例えば放流ポンプ槽１８０に設定された放流ポンプ１８２、排水処理槽１００へ原水を受け入れるべく設置される原水ポンプ、また担体流動槽１５０や担体濾過槽１６０へエアを送るブロワ等の運転情報を操作パネル２２０の表示部２２３に表示させることもできる。なお、操作パネル２２０の表示部２２３に表示させる運転情報としては、１日あたりの累積運転時間、時刻以外に、制御対象機器の所定期間の間の積算運転時間（例えば、運転開始時からの積算運転時間）、制御対象機器の運転（起動および停止）回数を示す情報、制御対象機器の運転モードの設定を示す情報等を用いることができる。
【００４３】
ここで、表示部２２３に第１計量ポンプ１２１及び第２計量ポンプ１２２の運転開始時からの累積運転時間（積算稼動時間）を表示部２２３に表示する構成を説明する。この積算運転時間は、１日あたりの累積運転時間と同様に、メンテナンス時や運転状態チェック時において一時的に見たい運転情報である。そこで、第２設定ボタン２２７ないし第３設定ボタン２２９の押圧操作が所定時間以上継続された場合にのみ表示部２２３に運転開始時からの積算運転時間を表示させ、その以外は表示部２２３に時刻を表示させるように設定することができる。具体的には、第２設定ボタン２２７の押圧操作が所定時間以上継続された状態において表示部２２３に例えば「２５：３０」と表示されているとする。このとき、表示部２２３を見た作業者は、第１計量ポンプ１２１の運転開始時からの積算運転時間が「２，５３０時間」であることを知ることができる。すなわち、この構成では、表示部２２３に運転開始時からの積算運転時間が表示される際、当該表示部２２３の左側の表示部分に表示された「２５」と右側の表示部分に表示された「３０」によって、「２５３０」という１つの時間データが形成されるようになっている。このような構成によれば、表示部２２３に最大で「９，９９９時間」までの積算運転時間を表示することが可能となる。また、作業者は、メンテナンス時や運転状態のチェック時に第１計量ポンプ１２１及び第２計量ポンプ１２２の運転開始時からの積算運転時間をチェックし、当該の積算運転時間とそのときの経過日数とから１日あたりの平均稼動時間を導出することが可能となる。
【００４４】
また、上記実施の形態では、操作パネル２２０の表示部２２３に表示される運転情報を切り替えるのに用いる第２設定ボタン２２７及び第３設定ボタン２２９としていずれも押圧式の操作ボタンを用いる場合について記載したが、押圧式の操作ボタンに代えてスライド式、回転式などの操作スイッチ類を用いることもできる。
【００４５】
また、上記実施の形態において、排水処理槽１００を構成する各槽の種類、数、配置等については必要に応じて適宜変更可能である。
【００４６】
また、上記実施の形態や種々の変更の形態に鑑み、本発明では以下の態様１〜態様３に記載の構成を採り得る。
【００４７】
（態様１）
本発明では、「被処理水の浄化処理を行うのに用いる制御対象機器と、前記制御対象機器の運転を制御する制御装置とを有する排水処理装置であって、
前記制御装置は、手動操作用の操作部と、前記制御対象機器の運転に関与する運転情報を表示可能な単一の表示部とを備え、前記操作部は、当該操作部に対する手動操作が解除されるとそのまま手動操作前の位置へと復帰する構成であり、
前記操作部に所定の手動操作がなされた手動操作時と、当該所定の手動操作が解除された手動操作解除時とで、前記表示部に異なる運転情報を表示するように構成されていることを特徴とする排水処理装置。」という構成（態様１）を採り得る。
【００４８】
この態様１では、排水処理装置は、請求項１に記載の排水処理用制御装置と実質的に同一の制御装置を備えている。従って、本態様１に記載の発明によれば、操作部に対する操作の戻し忘れを防止し、操作性を向上させた制御装置を有する排水処理装置を構築することができる。また、本態様１に記載の発明によれば、単一の表示部を用いて制御装置を構成しているため、制御装置の省スペース化やコストダウンを図ることが可能な排水処理装置を構築することができる。また、本態様１に記載の発明によれば、制御装置において作業者による操作部の選択的な操作に基づいて表示部に表示する運転情報が可変とされており、作業者が所望の運転情報を得るべく操作部に対し所定の操作を行うと一義的に表示部に所望の運転情報が表示されることとなるため、作業者は表示部に表示された運転情報を見易く、また表示された運転情報を管理し易い使い勝手の良い制御装置を有する排水処理装置を構築することができる。
【００４９】
（態様２）
また、本発明では、「態様１に記載の排水処理装置であって、
前記制御装置は、前記操作部の手動操作時において、前記表示部に前記制御対象機器の運転情報としての累積運転時間を表示し、前記操作部の手動操作解除時において、前記表示部に前記制御対象機器の運転情報としての時刻を表示するように構成されていることを特徴とする排水処理装置。」という構成（態様２）を採り得る。
【００５０】
この態様２では、排水処理装置は、請求項２に記載の排水処理用制御装置と実質的に同一の制御装置を備えている。従って、本態様２に記載の発明によれば、態様１に記載の構成によって得られる作用効果に加え、排水処理装置を管理する作業者にとって有効な運転情報を得ることが可能な制御装置を構築することができる。
【００５１】
（態様３）
また、本発明では、「態様１または態様２に記載の排水処理装置であって、
被処理水の一部を分岐させることによって流量調整を行う流量調整装置と、当該流量調整装置へ処理水を移送する移送ポンプとを備え、
前記制御装置は、制御対象機器として前記移送ポンプを制御するように構成されていることを特徴とする排水処理装置。」という構成（態様３）を採り得る。
【００５２】
この態様３では、排水処理装置は、請求項３に記載の排水処理用制御装置と実質的に同一の制御装置を備えている。従って、本態様３に記載の発明によれば、態様１，２に記載の構成によって得られる作用効果に加え、排水処理装置を管理する作業者にとって管理要請の高い移送ポンプに関する運転情報を得ることが可能な制御装置を構築することができる。
【図面の簡単な説明】
【００５３】
【図１】本発明における一実施の形態の排水処理槽１００の処理フローを示す図である。
【図２】排水処理槽１００の処理槽本体１０１の内部構成を示す図である。
【図３】操作パネル２２０のパネル外観を示す図である。
【図４】「自動運転モード」における第１計量ポンプ１２１及び第２計量ポンプ１２２の動作に関するタイムチャートを示す図である。
【符号の説明】
【００５４】
１００…排水処理槽
１０１…処理槽本体
１０２…流入口
１０３…放流口
１１０…ばっ気型スクリーン
１２０…流量調整槽
１２１…第１計量ポンプ
１２２…第２計量ポンプ
１２３…第１のフロートスイッチ
１２４…第２のフロートスイッチ
１２５…第３のフロートスイッチ
１２６，１９４…撹拌装置
１３０…計量調整装置
１４０…夾雑物除去槽
１４２，１５２…移流管
１４４，１６９…汚泥引き抜き手段
１５０…担体流動槽
１５４…散気装置
１６０…担体濾過槽
１６２…担体充填部
１６４…逆洗装置
１６６…ホッパー部
１６８…返還手段
１７０…消毒槽
１８０…放流ポンプ槽
１９０…汚泥濃縮貯留槽
１９２…脱離液返送管
２００…制御盤
２１０…制御部
２２０…操作パネル
２２１…電源ランプ
２２３…表示部
２２５…第１設定ボタン
２２７…第２設定ボタン
２２９…第３設定ボタン
【図１】
2005152767.tif 000003
【図２】
2005152767.tif 000004
【図３】
2005152767.tif 000005
【図４】
2005152767.tif 000006